(57)【要約】【課題】災害発生時に、個々のユーザに最適な避難情報を提供できる災害情報配信装置を実現する。【解決手段】本発明による災害情報配信装置（１）は、端末装置のアドレス情報を含むユーザ情報を記憶する手段（１３）と、災害情報発信源（４）に接続され、災害の発生を示す情報を受信する手段（１１）と、前記端末装置に、搭載されている特定のアプリケーションを強制的に起動させるコマンドを含む災害発生情報をネットワークを介して一斉に配信する手段（１５）と、前記災害発生情報を受信した端末装置から送信され、当該端末装置の位置を示すロケーション情報を含む転送要求を受信する手段（１６）と、受信したロケーション情報に対応した避難情報を各端末装置毎に個別に作成する手段（１７）と、各端末装置毎に個別に作成された避難情報を各端末装置にそれぞれ個別に送信する手段（１０）とを具える。【選択図】  図１
2007135000.tif 000002
【特許請求の範囲】
【請求項１】
ネットワークを介して複数の端末装置に災害情報を配信する災害情報配信装置であって、
端末装置のアドレス情報を含むユーザ情報を記憶する手段と、
災害情報発信源に接続され、災害の発生を示す情報を受信する手段と、
前記端末装置に、搭載されている特定のアプリケーションを強制的に起動させるコマンドを含む災害発生情報をネットワークを介して一斉に配信する手段と、
前記災害発生情報を受信した端末装置から送信され、当該端末装置の位置を示すロケーション情報を含む転送要求を受信する手段と、
受信したロケーション情報に対応した避難情報を各端末装置毎に個別に作成する手段と、
各端末装置毎に個別に作成された避難情報を各端末装置にそれぞれ個別に送信する手段とを具えることを特徴とする災害情報配信装置。
【請求項２】
請求項１に記載の災害情報配信装置において、前記災害発生情報は、ＳＭＳを含む電子メールにより一斉に送信されることを特徴とする災害情報配信装置。
【請求項３】
請求項１又は２に記載の災害情報配信装置において、前記避難情報は、避難勧告、避難指示、避難場所、避難経路、避難方法及び災害エリアをそれぞれ示す情報のうち少なくとも１つの情報を含むことを特徴とする災害情報配信装置。
【請求項４】
請求項３に記載の災害情報配信装置において、前記避難情報は、各端末装置のロケーションと災害発生地域とが地図上にマッピングされている地図情報を含むことを特徴とする災害情報配信装置。
【請求項５】
ネットワークを介して災害情報配信装置に接続され、災害情報配信装置から送られてくる災害情報を受信する端末装置であって、
内部電源と、
ネットワークを介して配信されてくる災害発生情報を受信する手段と、
受信した災害発生情報に含まれるコマンドにより起動されるアプリケーション手段と、
前記アプリケーションにより起動され、災害の発生をユーザに伝達する手段と、
前記アプリケーションにより起動され、当該端末装置の位置を示す位置情報を取得する位置情報取得手段と、
取得した位置情報を、ネットワークを介して前記災害情報配信装置に転送する手段と、
前記災害情報配信装置から送信されてくる避難情報を受信する手段と、
受信した避難情報を画像表示する手段とを有することを特徴とする端末装置。
【発明の詳細な説明】
【技術分野】
【０００１】
本発明は、地震、津波、洪水、豪雨、河川の氾濫、山崩れ等の各種災害が発生した際、個々のユーザに最適な緊急避難情報を伝達することができる災害情報配信装置に関するものである。
さらに、本発明は、災害情報配信装置から配信される緊急避難情報を受信する端末装置に関するものである。
【背景技術】
【０００２】
地震や津波等の各種災害が発生した際、放送局から各放送受信機に緊急警報放送信号（ＥＷＳ）を送出し、視聴者に災害の発生を知らせる緊急警報システムが既知である。この緊急警報システムでは、放送受信機がＥＷＳを受信すると、受信機がスタンバイ状態であっても受信機を自動的に起動させ、ＥＷＳの映像や音声を出力させている。また、ＥＷＳの放送信号を受信すると、当該受信機がＥＷＳの音声データを記憶し、予め登録されている視聴者の電話機に自動接続し、記憶したＥＷＳの音声データを送信する装置が提案されている（例えば、「特許文献１」参照。
【０００３】
別の方法として、ＥＷＳを受信したデジタル放送受信機から外出先のユーザの携帯端末に緊急連絡メールを送り、メールを受信した外出先のユーザ携帯端末から当該デジタル放送受信機にユーザのロケーション情報と緊急連絡メール確認情報が返信され、当該デジタル放送受信機の視聴者が外出先のユーザの状況を確認するシステムが提案されている（例えば、「特許文献２」参照）。
【０００４】
【特許文献１】特開平６−２８５９１号公報
【特許文献２】特開２０００−１９８０７９号公報
【発明の開示】
【発明が解決しようとする課題】
【０００５】
緊急警報放送信号は、地震や津波等の災害時にのみ限定されて放送されるため、その放送頻度の低さから一般的に普及が進んでおらず、現在、緊急警報放送を受信できる機能を有するテレビジョン受信機及びラジオ受信機は殆ど利用されていないのが現状である。
また、テレジジョン受信機等は外部から電源の供給が必要であるため、災害時に停電が発生すると、受信機自体がＥＷＳを受信できない問題がある。さらに、停電が発生しない場合であっても、多数の受信機が待機状態から一斉に起動するため、その際に発生する突入電流が許容限界電力を超えてしまい、停電を招く危険性が想定される。
【０００６】
さらに、特許文献１に記載の緊急警報システムでは、受信機から登録されたユーザの電話機に発信してＥＷＳの音声データを送信するだけであり、詳細な災害情報を知ることができず、各ユーザにとって最適な避難情報が伝達されない欠点がある。また、災害発生時に電話回線が輻輳して緊急災害情報が送信されない事態も想定される。
また、特許文献２に記載のシステムでは、外出先のユーザのロケーション情報が確認されても、災害発生時にデジタル放送受信機を視聴する人が不在の場合や停電が生じた場合、外出先のユーザの状況を確認できない問題がある。さらに、外出先のユーザがデジタル放送受信機からのメールに気がつかなかった場合、外出先のユーザの正確な状況を把握できない課題もある。
【０００７】
本発明の目的は、災害発生時に、登録した全てのユーザに対して災害の発生を知らせるだけでなく、個々のユーザに最適な避難情報を提供する災害情報配信装置を実現することにある。
本発明の別の目的は、ユーザの位置に応じて最適な避難情報を各ユーザに直接提供できる災害情報配信装置を実現することにある。
さらに、本発明の別の目的は、災害発生時に停電等の事故が生じても各ユーザに対して災害の発生及び最適な避難情報を確実に伝達でき、二次災害の発生を有効に防止できる災害情報配信装置を提供することにある。
【課題を解決するための手段】
【０００８】
本発明による災害情報配信装置は、ネットワークを介して複数の端末装置に災害情報を配信する災害情報配信装置であって、
端末装置のアドレス情報を含むユーザ情報を記憶する手段と、
災害情報発信源に接続され、災害の発生を示す情報を受信する手段と、
前記端末装置に、特定のアプリケーションを強制的に起動させるコマンドを含む災害発生情報をネットワークを介して一斉に配信する手段と、
前記災害発生情報を受信した端末装置から送信され、当該端末装置の位置を示すロケーション情報を含む転送要求を受信する手段と、
受信したロケーション情報に対応した避難情報を各端末装置毎に個別に作成する手段と、
各端末装置毎に個別に作成された避難情報を各端末装置にそれぞれ個別に送信する手段とを具えることを特徴とする。
【０００９】
本発明による災害情報配信装置においては、緊急災害が発生した際、放送局や気象庁のような災害情報発信源から送出される緊急災害発生情報を受信し、登録されている複数の端末装置に対して緊急災害が発生したことを知らせる災害発生情報を一斉に配信する。しかし、災害発生情報だけでは、ユーザの避難所や避難経路が適切に伝達されないため、災害情報として不十分である。また、緊急災害に対する最適な避難所及び避難経路は、各ユーザのロケーションと関連し、各ユーザ毎に相違する。そこで、本発明では、災害発生情報に各端末装置に搭載されている特定のアプリケーションを起動させるコマンドを含め、当該コマンドにより位置情報取得手段を強制的に起動させる。端末装置は、ネットワークを介して取得した位置情報を含む転送要求を災害情報配信装置に送出する。災害情報配信装置は、各ユーザから送られてくるロケーション情報に基づき各ユーザにそれぞれ最適な避難情報を作成し、各ユーザに個別に送信する。この結果、各ユーザ毎に最適な避難情報を送信することができ、緊急災害の発生に対して最適な対応策が講じられる。また、携帯電話やPDAは内部電源を有しているから、停電等が生じて各ユーザに確実に最適な避難情報を配信することができる。さらに、携帯端末は内部電源を有しているから、多数の携帯端末が一斉に起動しても突入電流が許容限界電力を超えて停電等を引き起こす不具合は発生しない。
【００１０】
本発明による災害情報配信装置の好適実施例は、前記災害発生情報は、ＳＭＳを含む電子メールにより一斉に配信されることを特徴とする。
【００１１】
本発明による災害情報配信装置の別の好適実施例は、避難情報は、避難勧告、避難指示、避難場所、避難経路、避難方法及び災害エリアをそれぞれ示す情報のうち少なくとも１つの情報を含むことを特徴とする。
【００１２】
本発明による災害情報配信装置の別の好適実施例は、前記避難情報は、各端末装置のロケーションと災害発生地域とが地図上にマッピングされている地図情報を含むことを特徴とする。当該地図情報により、ユーザは最適な避難経路を即座に判断することができるため、二次災害の発生を防止する上で極めて好適である。
【００１３】
本発明による端末装置は、災害情報配信装置から送られてくる災害情報を受信する端末装置であって、
内部電源と、
ネットワークを介して配信されてくる災害発生情報を受信する手段と、
受信した災害発生情報に含まれるコマンドにより起動されるアプリケーション手段と、
前記アプリケーションにより起動され、災害の発生をユーザに伝達する手段と、
前記アプリケーションにより起動され、当該端末装置の位置を示す位置情報を取得する位置情報取得手段と、
取得した位置情報を、ネットワークを介して前記災害情報配信装置に転送する手段と、
前記災害情報配信装置から送信されてくる避難情報を受信する手段と、
受信した避難情報を画像表示する手段とを有することを特徴とする。
【発明の効果】
【００１４】
本発明では、アプリケーションを起動させるコマンドを含む災害発生情報を一斉に配信し、例えばＧＰＳのような位置情報取得手段を起動させ、端末装置のロケーション情報を災害情報配信装置に転送させているので、災害情報配信装置は、各ユーザのロケーションに応じて各ユーザ毎に最適な避難情報を送信することができる。また、避難情報は、災害発生地域の位置をマッピングした地図情報を含むことができるので、最適な避難経路及び避難所を地図情報としてモニタ上に表示することができ、二次災害の発生が有効に防止される。
【発明を実施するための最良の形態】
【００１５】
図１は、本発明による災害情報配信システムの一例を示す線図である。図１を参照して本発明の概略を説明する。本発明による災害情報配信装置１は、インターネットやキャリア網等のネットワーク２に接続される。ネットワーク２には、携帯電話やPDA(Personal Digital Assistant)等の複数の携帯端末３ａ〜３ｎが接続され、ネットワーク２を介して災害情報配信装置１から携帯端末３ａ〜３ｎに災害発生情報及び災害避難情報を配信する。携帯端末は内部電源を有しているから、災害発生時に停電が生じても、災害発生情報を確実にユーザ伝達することができる。また、内部電源により駆動するため、多数の携帯端末が一斉に起動しても許容限界電力を超える不具合も発生しない。携帯端末３ａ〜３ｎのアドレス情報はユーザ情報として災害情報配信装置１に登録され、災害情報配信装置１は、登録されているアドレス情報を用いて災害発生情報及び避難情報を携帯端末に配信する。
【００１６】
災害情報配信装置１は、地震、津波、台風、局所的豪雨、河川の氾濫、山火事等の各種の災害の発生を情報として直ちに提供する放送局や気象庁等の災害情報発信源４に接続する。例えば、災害情報発信源４をテレビ放送局とした場合、放送局は、緊急警報放送を行って災害の発生を視聴者に知らせているので、緊急警報放送の送出装置からトリガ信号を災害情報配信装置１に送信することができる。また、災害情報発信源４を気象庁とした場合、気象庁のホームページを常時監視し、地震や津波観測等の情報が掲載されたタイミングをトリガとして災害の発生を検知して災害発生情報を作成することができる。尚、災害情報配信装置１と災害情報発信源４とは、直接接続し又はネットワークを介して接続する。
【００１７】
災害情報配信装置１は、災害の発生を検知すると、携帯端末に搭載されている特定のアプリケーションを強制的に起動させるコマンドを含む災害発生情報を、登録されている全ての端末装置に一斉に配信する。この際、電子メールやＳＭＳ（Short Message Service）により災害発生情報を端末装置に一斉に配信することができ、本例ではＳＭＳにより配信するものとする。
【００１８】
災害発生情報を受信した携帯端末は、受信した災害発生情報に含まれるコマンドによりアプリケーションが強制的に起動され、音声や振動により災害の発生をユーザに伝達する。同時に、端末装置に搭載されている位置情報取得装置（例えばＧＰＳ：Global Positioning System）も強制的に起動させ、当該携帯端末のロケーション情報（端末装置が存在する位置情報）を取得し、取得したロケーション情報を含む転送要求を災害情報配信装置に送信する。
【００１９】
災害情報配信装置１は、各携帯端末から送られてくる転送要求を受信すると、各携帯端末のロケーション情報に対応した最適な避難情報を各携帯端末毎に作成し、作成した避難情報を各携帯端末にそれぞれ個別に送信する。この避難情報は、災害の発生場所と各端末装置のロケーションとに基づいて検討された最適な避難経路、避難場所、避難方法、迂回経路等の避難に必要な各種情報を含むので、個々のユーザ毎に最適な避難情報が提供される。例えば、集中豪雨により河川が氾濫したり地震により山崩れが発生した場合、当該河川や山崩れした道路の近くを走行中の車輛に対して避難情報として現地において安全が確認された最適な避難ルート又は迂回ルートが配信される。また、津波が発生した場合、海岸近くに居住する居住者に対して現地において安全が確認された最適な避難ルート及び方法が配信される。この際、避難情報は、地図上に災害の発生場所と当該端末装置の位置とがマッピングされた画像情報を含むことができる。この結果、車輛により走行中のユーザの端末装置のモニタ上に最適な迂回ルートや避難経路等を地図上にマッピングした画像情報が表示されるので、二次災害の発生を未然に防止することができる。
【００２０】
図２は本発明による災害情報配信装置の一例を示す線図であり、図３は一連のアルゴリズム示すフローチャートである。災害情報配信装置は、通信部１０を有し、当該通信部１０によりネットワーク２を介して端末装置との情報の送受信を行う。災害情報配信装置は、緊急災害発生監視部１１を有し、例えば放送局や気象庁等の災害情報発信源４から災害の発生情報を受信する。さらに、情報登録部１２を有し、発生した緊急災害の種類、場所及び規模等の情報を記憶する。さらに、情報格納部１３を有し、災害発生情報及び避難情報を作成するために必要な各種の情報を記憶する。例えば、登録者情報として登録したユーザの携帯端末のアドレスを記憶し、当該記憶されているアドレス情報を用いて災害発生情報及び避難情報を配信する。また、地図情報を有し、当該地図情報を用いて災害の発生場所と端末装置の位置とを地図上にマッピングした情報を作成する。さらに、避難場所情報を有し、災害の発生場所と災害の種類等に応じて最適な避難場所を特定する。さらに、避難情報の作成に必要な各種の災害関連情報も記憶する。
【００２１】
災害情報発信源４からの災害の発生情報を受信すると、災害通知コマンド生成部１４において、携帯端末に搭載されているアプリケーションを強制的に起動させるための災害通知コマンドを作成する。
【００２２】
ＳＭＳ生成部１５は、緊急災害発生情報の受信に応じて、災害発生情報を表すＳＭＳを作成する。ＳＭＳ生成部１５は、災害通知コマンドが添付されたＳＭＳを作成する。図４は、ＳＭＳの一例を示す線図である。ＳＭＳはヘッダ部と本文とで構成する。ヘッダ部の記述子X-Appliには、起動されるべきアプリケーションの名称又はアプリケーションを特定する識別子を記述する。また、記述子X-Commandには、制御コマンドを記述する。図４の例では、起動されるべきアプリケーションの名称はAppli1、制御コマンドはboot(起動)である。作成されたＳＭＳは、通信部１０からネットワーク２を介して登録されている端末装置３ａ〜３ｎに一斉に配信される。
【００２３】
さらに、災害情報配信装置は、転送要求受信部１６を有し、端末装置から送られてくるロケーション情報を含む転送要求を受信する。
【００２４】
端末装置からの転送要求が受信されると、避難情報生成部１７において、個々の端末装置のロケーション情報に基づいて最適な避難情報が作成される。避難情報生成部１７は、転送要求に含まれるロケーション情報（例えば、ＧＰＳ情報）と、情報登録部１２に記憶されている災害に関する情報及び情報格納部１３に格納されている地図情報及び避難場所情報等とに基づいて最適な避難情報を作成する。緊急避難が必要な場合、地図情報と現地で安全が確認された情報とに基づいて避難経路や迂回経路及び避難方法が検討され、最適な避難経路及び避難方法が決定される。ここで、避難経路や迂回経路は、放送情報格納部１３に記憶されている地図情報に基づき、ＧＰＳ情報により指示されるロケーション付近の例えば１０ｋｍ２  の領域を地図上にマッピングして災害発生場所と携帯端末の位置を指示することができる。特に、河川の氾濫や地震による山崩れ等の局所的な災害が発生した場合、災害の発生箇所と端末装置の現在位置とがマッピングされた地図情報は二次災害を防止する上で極めて有益である。
【００２５】
さらに、避難情報生成部１７は、避難情報に含まれる地図情報として、図５に示すように、端末装置の現在位置の周辺の地図情報を画像として送信する。当該地図情報により、現在位置から避難場所までの経路を画像として表示することができる。さらに、例えば地震や津波の等の広域災害が想定される場合、図６に示すように、被災エリアや津波警戒領域等を含む災害エリア情報を地図上にマッピングした画像情報として作成することができる。
【００２６】
図７は、地図情報の作成要領をイメージとして示す線図である。地図情報は、地図テーブル、緯度経度情報テーブル（標準メッシュ等）、災害エリアメッシュテーブル（被災地のエリア、市区町村ことに発令される避難勧告、避難命令のエリア、津波警戒エリア等を含む）、避難所テーブル、及び、ロケーション情報テーブルを組み合わせて地域ごとの地図情報を作成する。さらに、局所的災害及び広域的災害に対応して、個々のユーザに対して最適な地図情報を作成する。
【００２７】
尚、避難所テーブルに設定された避難所情報は、災害情報配信装置の情報格納部１３に予め蓄積しておいた避難所情報（避難所の住所、名称、電話番号等）とリンクさせ、ユーザの選択により格納されている避難所情報を取得することができる。
【００２８】
図８は端末装置の一例を示す線図であり、図９は一連のアルゴリズムを示すフローチャートである。尚、端末装置の各種機能のうち災害発生情報及び避難情報を受信して表示する機能についてだけ示す。端末装置は、通信部２０を有し、当該通信部を介して災害情報配信装置１からネットワーク２を介して配信されてくる災害発生情報及び避難情報を受信し、転送要求を送信する。通信部のプロトコルは特段限定されず、例えばTCP/IPやUDP/IPをPPP/IPCP、PDCで転送できる通信インタフェースで構成することができる。
【００２９】
災害が発生した際、災害情報配信装置からネットワークを介して配信されてくるＳＭＳは、ＳＭＳ受信部２１で受信する。ＳＭＳ受信部２１には、プログラムDaemon(サーバープロセス)を常駐させ、ＳＭＳの受信及びＳＭＳヘッダ部の読み取りを行う。読み取られたアプリケーションの名称及び起動制御の記述があった場合、当該アプリケーションの起動プロセス又は制御プロセスを呼び出す。
【００３０】
ＳＭＳを受信した際、災害通知コマンド監視部２２によりＳＭＳに添付された災害通知コマンドが検知されると、当該コマンドによりアプリケーションが自動的に起動する。尚、災害通知コマンドが検知された際、既にアプリケーションが起動している場合、後述する次のステップの動作を行う。
【００３１】
災害通知コマンドにより、通知部２３が起動し、災害発生情報をユーザに伝達する。通知部の手段として、例えば音声出力機能、発光表示機能、バイブレーション機能等の端末装置に備えられている機能を利用することができる。尚、音声出力機能を利用する場合、予め端末装置に設けた音声情報を出力するか、もしくは当該アプリケーションが予め備えている緊急災害報知用の音声ファイルを再生することによりユーザに伝達することができる。災害発生情報の内容は、コンテンツ表示部２４上に表示することもできる。
【００３２】
災害通知コマンドにより、位置情報取得部２５も起動する。位置情報取得部２５は、ＧＰＳシステムとすることができ、ＧＰＳ衛星から送信されてくるＧＰＳ信号を受信し、受信したＧＰＳ信号に基づいて当該端末装置のロケーション情報を取得する。尚、位置情報取得手段として、ＧＰＳシステムだけでなく、携帯端末の通信に用いられる基地局からのロケーション情報により端末装置のロケーション情報を取得することも可能である。
【００３３】
ロケーション情報が取得されると、転送要求生成部２６において当該ロケーション情報を含む転送要求が作成され、通信部２０からネットワークを介して災害情報配信装置に送信される。
【００３４】
災害情報配信装置から避難情報が配信され、通信部２０により受信される。避難情報に含まれる各情報は、コンテンツ表示部２４上に表示される。特に地図情報が含まれている場合、当該地図情報がコンテンツ表示部２４上に表示されるので、直ちに避難所及び避難経路を把握することができる。コンテンツ表示部２６は、LCDや有機ELのモニタで構成することができる。
【００３５】
本発明は上述した実施例だけに限定されず種々の変更へ変形が可能である。例えば、上述した実施例では、端末装置から転送されるロケーション情報に対応した避難情報を端末装置に転送する例について説明したが、端末装置からの転送要求に基づいて災害情報配信装置に蓄積されている災害に関する情報を検索し、得られた災害情報を端末装置に送信することも可能である。この場合、災害情報配信装置から端末装置に配信される災害情報は、提供された災害情報を災害情報配信装置に登録しておくことも可能である。
【図面の簡単な説明】
【００３６】
【図１】本発明による災害避難情報配信システムの一例を示す線図である。
【図２】災害情報配信装置の一例を示す線図である。
【図３】災害情報配信装置の一連のアルゴリズムを示すフローチャートである。
【図４】ＳＭＳの一例を示す線図である。
【図５】地図情報を一例を示す線図である。
【図６】災害エリア情報の一例を示す線図である。
【図７】地図情報の作成要領を示す線図である。
【図８】端末装置の一例を示す線図である。
【図９】端末装置の一連のアルゴリズムを示すフローチャートである。
【符号の説明】
【００３７】
１  災害情報配信装置
２  ネットワーク
３ａ〜３ｎ  端末装置
４  災害情報発信源
１０  通信部
１１  災害発生監視部
１２  情報登録部
１３  情報格納部
１４  災害通知コマンド生成部
１５  ＳＭＳ生成部
１６  転送要求受信部
１７  避難情報生成部
２０  通信部
２１  ＳＭＳ受信部
２２  災害通信コマンド監視部
２３  通信部
２４  コンテンツ表示部
２５  位置情報取得部
２６  転送要求生成部
【図１】
2007135000.tif 000003
【図２】
2007135000.tif 000004
【図３】
2007135000.tif 000005
【図４】
2007135000.tif 000006
【図５】
2007135000.tif 000007
【図６】
2007135000.tif 000008
【図７】
2007135000.tif 000009
【図８】
2007135000.tif 000010
【図９】
2007135000.tif 000011